(57)【要約】【課題】１回のカラー画像データの取得で、グレー値変換後のモノクロ画像データの出力と送信とをともに行うことができる画像処理装置を提供する。【解決手段】カラー画像データを取得する取得部と、取得部が取得したカラー画像データをグレー値情報からなる１次モノクロ画像データに変換するモノクロ変換部と、１次モノクロ画像データのうち、異なる色でグレー値が同一であるかまたは近似している領域を、異なるグレー値に置換した２次モノクロデータに変換するグレー値変換部と、カラー画像データ、１次モノクロ画像データおよび２次モノクロ画像データを記憶する記憶部と、１次モノクロ画像データまたは２次モノクロ画像データを出力する出力部と、カラー画像データ、１次モノクロ画像データまたは２次モノクロ画像データを外部通信装置へ送信する送信部とを備えてなる。【選択図】  図１
2015185890.tif 000002
【特許請求の範囲】
【請求項１】
濃度を表すグレー値情報および色を表す色情報が含まれるカラー画像データを取得するための取得部と、
この取得部が取得した前記カラー画像データを色情報が含まれずグレー値情報が含まれる１次モノクロ画像データに変換するためのモノクロ変換部と、
前記１次モノクロ画像データのうち、異なる色でグレー値が同一であるかまたは近似している領域を、異なるグレー値に置換した２次モノクロデータに変換するためのグレー値変換部と、
前記カラー画像データ、前記１次モノクロ画像データ、および前記２次モノクロ画像データを記憶するための記憶部と、
前記１次モノクロ画像データまたは前記２次モノクロ画像データを出力するための出力部と、
前記カラー画像データ、前記１次モノクロ画像データ、または前記２次モノクロ画像データを外部通信装置へ送信するための送信部と
を備えてなることを特徴とする画像処理装置。
【請求項２】
前記記憶部に記憶された前記カラー画像データ、前記１次モノクロ画像データ、および前記２次モノクロ画像データのうちのいずれかをユーザに選択させるための選択部をさらに備え、前記出力部による出力時に、前記送信部が、前記選択部により選択された画像データを送信する請求項１に記載の画像処理装置。
【請求項３】
前記選択部が、前記外部通信装置の種類に応じて送信すべき画像データを選択することのできる選択肢を有している請求項２に記載の画像処理装置。
【請求項４】
前記外部通信装置の種類が、処理性能、表示特性、およびグレー値変換の可否のうちの少なくとも１つに基づくものである請求項３に記載の画像処理装置。
【請求項５】
前記選択部が、前記外部通信装置の宛先アドレスに応じて送信すべき画像データを選択することのできる選択肢を有している請求項２に記載の画像処理装置。
【請求項６】
前記外部通信装置が、あらかじめ認証されたパーソナルコンピュータ、プリンタ、タブレット、またはスマートフォンである請求項１〜５のいずれか１つに記載の画像処理装置。
【発明の詳細な説明】
【技術分野】
【０００１】
この発明は、画像処理装置に関し、特に、カラー画像データをモノクロ画像データに変換して出力（印刷／コピー）する画像処理装置に関する。
【背景技術】
【０００２】
従来、ＲＧＢ（赤、緑、青）などの色情報および濃度を表すグレー値情報が含まれるカラー画像データを色情報が含まれずグレー値情報が含まれるモノクロ画像データに変換して出力する画像処理装置としては、例えば特許文献１に記載されたものが知られている。
【０００３】
特許文献１に記載された画像処理装置は、カラー画像データをモノクロ画像データに変換する際に、異なる色でグレー値（グレー濃度）が同一になる２つの色データのいずれか一方のグレー値を変更するグレー値変換手段を備えている。
【０００４】
このような画像処理装置によれば、出力手段としてのモノクロプリンタ／コピー機を有する装置やシステムによってカラー画像をモノクロ出力した場合に、記載内容を理解することが容易な印刷物／コピー物を得ることができる。
【先行技術文献】
【特許文献】
【０００５】
【特許文献１】特開２０００−５００９８号公報
【発明の概要】
【発明が解決しようとする課題】
【０００６】
しかしながら、グレー値変換したデータを印刷／コピーだけでなくさまざまな用途に活用することができればユーザにとって利便性が高いが、現状ではそのような装置は提案されていない。
【０００７】
このため、出力の際にはグレー値変換したモノクロ画像データを使用したいがパーソナルコンピュータやスマートフォンなどの外部通信装置への送信の際にはカラー画像データのままで行いたいというユーザや、出力の際にも送信の際にもグレー値変換したモノクロ画像データを使用したいというユーザの要望に応えることができなかった。
【０００８】
この発明は、このような実情を考慮してなされたものであり、１回のカラー画像データの取得で、グレー値変換前後のモノクロ画像データの出力（印刷／コピー）と外部通信装置への送信とをともに行うことができる画像処理装置を提供することを目的とする。
【課題を解決するための手段】
【０００９】
この発明によれば、濃度を表すグレー値情報および色を表す色情報が含まれるカラー画像データを取得するための取得部と、この取得部が取得した前記カラー画像データを色情報が含まれずグレー値情報が含まれる１次モノクロ画像データに変換するためのモノクロ変換部と、前記１次モノクロ画像データのうち、異なる色でグレー値が同一であるかまたは近似している領域を、異なるグレー値に置換した２次モノクロデータに変換するためのグレー値変換部と、前記カラー画像データ、前記１次モノクロ画像データ、および前記２次モノクロ画像データを記憶するための記憶部と、前記１次モノクロ画像データまたは前記２次モノクロ画像データを出力するための出力部と、前記カラー画像データ、前記１次モノクロ画像データ、または前記２次モノクロ画像データを外部通信装置へ送信するための送信部とを備えてなることを特徴とする画像処理装置が提供される。
【発明の効果】
【００１０】
この発明の画像処理装置は、取得部が取得したカラー画像データ（グレー値情報および色情報が含まれる）をモノクロ変換部がモノクロ変換によって１次モノクロ画像データ（色情報が含まれずグレー値情報が含まれる）に変換する。また、その１次モノクロ画像データのうち、異なる色でグレー値が同一であるかまたは近似している領域を、異なるグレー値に置換した２次モノクロデータにグレー値変換部が変換する。そして、カラー画像データ、１次モノクロ画像データ、および２次モノクロ画像データを記憶部が記憶する。さらに、出力部が１次モノクロ画像データまたは２次モノクロ画像データを出力し、送信部がカラー画像データ、１次モノクロ画像データ、または２次モノクロ画像データを外部通信装置へ送信する。ここで、外部通信装置とは、パーソナルコンピュータ、プリンタ、タブレット、スマートフォンなど、この画像処理装置の外部における通信装置であって、この画像処理装置との間で通信可能に有線／無線接続される通信装置をいう。
【００１１】
上記のように構成されたこの発明の画像処理装置によれば、１回のカラー画像データの取得（カラー原稿読み取り）で、出力部での１次モノクロ画像データまたは２次モノクロデータの出力（印刷／コピー）とともに、送信部による外部通信装置への画像データ（カラー／１次モノクロ／２次モノクロ）の送信を行うことができる。
【００１２】
すなわち、この発明の画像処理装置によれば、カラー画像データの取得の回数を減らすことが可能になるとともに、送信先のユーザにグレー値変換後の画像データを提供することが可能になり、画像処理装置のユーザと外部通信装置のユーザとの両者にグレー値変換の便益を提供することができる。さらに、カラー原稿読み取りの回数を減らすことで、ユーザの手間や原稿の損傷を軽減することができる。
【００１３】
次に、この発明の画像処理装置のより好ましい態様について説明する。
【００１４】
（１）この画像処理装置は、記憶部に記憶されたカラー画像データ、１次モノクロ画像データ、および２次モノクロ画像データのうちのいずれかをユーザに選択させるための選択部をさらに備えているとともに、出力部による出力時に、送信部が、選択部により選択された画像データを外部通信装置へ送信するように構成されていてもよい。
【００１５】
このように構成されている場合には、画像処理装置のユーザが、選択部によってカラー画像データ、１次モノクロ画像データ、または２次モノクロ画像データを選択することができ、その選択した画像データが送信部によって外部通信装置へ送信される。従って、画像処理装置のユーザは、外部通信装置のユーザが所望する画像データ（カラー画像データ、１次モノクロ画像データ、または２次モノクロ画像データ）を選択部によって選択して外部通信装置へ送信することができる。
【００１６】
（２）選択部は、外部通信装置の種類に応じて送信すべき画像データを選択することのできる選択肢を有していてもよい。選択部がこのような選択肢を有している場合には、画像処理装置のユーザは、外部通信装置の種類に応じて、送信すべき画像データを適切に選択することができるので、外部通信装置のユーザの利便性の向上を図ることが可能になる。
【００１７】
（３）外部通信装置の種類は、処理性能、表示特性、およびグレー値変換の可否のうちの少なくとも１つに基づくものであってもよい。外部通信装置の種類がそのようなものである場合には、画像処理装置のユーザは、外部通信装置の処理性能、表示特性、グレー値変換の可否などに応じて、送信すべき画像データをいっそう適切に選択することができる。
【００１８】
（４）選択部は、外部通信装置の宛先アドレスに応じて送信すべき画像データを選択することのできる選択肢を有していてもよい。選択部がこのような選択肢を有している場合には、画像処理装置のユーザは、外部通信装置の宛先アドレスに応じて、送信すべき画像データを適切に選択することができるので、外部通信装置のユーザの利便性の向上を図ることが可能になる。
【００１９】
（５）外部通信装置は、あらかじめ認証されたパーソナルコンピュータ、プリンタ、タブレット、またはスマートフォンであってもよい。その場合には、画像処理装置のユーザは、外部通信装置であるパーソナルコンピュータ〜スマートフォンの特性に応じて、送信すべき画像データを適切に選択することができるので、パーソナルコンピュータ〜スマートフォンのユーザの利便性の向上を図ることが可能になる。
【図面の簡単な説明】
【００２０】
【図１】この発明の実施の形態１に係る画像処理装置の概略構成を示すブロック図である。
【図２】図１の画像処理装置の処理手順を示すフローチャートである。
【図３】この発明の実施の形態２に係る画像処理装置の概略構成を示すブロック図である。
【図４】この発明の実施の形態３に係る画像処理装置の処理手順を示すフローチャートである。
【図５】この発明の実施の形態４に係る画像処理装置の処理手順を示すフローチャートである。
【発明を実施するための形態】
【００２１】
以下、この発明の実施の形態１〜４について図面を参照して説明する。
【００２２】
実施の形態１
図１は、この発明の実施の形態１に係る画像処理装置の概略構成を示すブロック図である。図１において、１００は実施の形態１に係る画像処理装置としてのＭＦＰ（Ｍｕｌｔｉ  Ｆｕｎｃｔｉｏｎ  Ｐｒｉｎｔｅｒ）である。
【００２３】
ＭＦＰ１００は、画像取得部１０１、出力部１０２、モノクロ変換部１０３、グレー値変換部１０４、操作・選択部１０５、制御部（ＣＰＵ）（Ｃｅｎｔｒａｌ  Ｐｒｏｃｅｓｓｉｎｇ  Ｕｎｉｔ）１０６、記憶部１０７、送信部１０８を備えてなる。制御部１０６は、画像取得部１０１、出力部１０２、モノクロ変換部１０３、グレー値変換部１０４、操作・選択部１０５、記憶部１０７、送信部１０８に接続されており、これらの画像取得部１０１〜送信部１０８を制御する。
【００２４】
画像取得部１０１は、カラースキャナから構成され、例えばＣＣＤ（Ｃｈａｒｇｅ  Ｃｏｕｐｌｅｄ  Ｄｅｖｉｃｅ）ラインセンサなどを含み、濃度を表すグレー値情報および色を表す色情報が含まれるカラー画像（文字、図形、絵、写真などのカラー原稿）からの反射光像をＲＧＢ（赤、緑、青）アナログ信号からなるカラー画像データとして取得する。
【００２５】
出力部１０２は、感光体ドラム、帯電器、現像器、転写器、現像器、給紙トレイ、排紙トレイなどから構成されている。出力部１０２は、下記モノクロ変換によって生成された１次モノクロ画像データまたは下記グレー値変換によって生成された２次モノクロ画像データの印刷／コピーを行う。
【００２６】
モノクロ変換部１０３は、画像取得部１０１が取得したカラー画像データをモノクロ変換によって色情報が含まれずグレー値情報が含まれる１次モノクロ画像データ（グレースケール画像データ）に変換する。カラー画像データから１次モノクロ画像データへのモノクロ変換は、カラー画像データのＲＧＢ情報に所定の係数を掛けることによって行われる。
【００２７】
例えば、ＲＧＢ形式のカラーで指定された色データをモノクロ出力する場合には、ＲＧＢ形式からグレースケールに濃度変換した後、いわゆる二値化法を用いて疑似階調出力するのが一般的である。そして、ＲＧＢ形式からグレースケール濃度への変換には、出力部１０２が疑似階調によりモノクロ１０００階調まで表現して印刷／コピーすることのできるものである場合、次のような式が用いられる。
【００２８】
【数１】
2015185890.tif 000003
【００２９】
数１において、ＲＧＢ各色は０〜１０００の範囲にある。
【００３０】
モノクロ変換により生成された１次モノクロ画像データは、出力部１０２によって出力（印刷／コピー）することができる。
【００３１】
グレー値変換部１０４は、モノクロ変換部１０３によって生成された１次モノクロ画像データのうち、異なる色でグレー値（グレー濃度）が同一であるかまたは近似している領域を、異なるグレー値に置換したモノクロデータ（２次モノクロ画像データ）に変換する。
【００３２】
すなわち、カラー画像データが境界で区切られた複数の領域を有し、領域ごとに異なる色が施されている場合に、そのカラー画像データをモノクロ画像として出力すると、モノクロ画像における各領域が色の違いではなく明るさの違い（濃度差）だけで表示される。このため、隣接する複数の領域の濃度差が小さいときには、これらの領域の境界を見分けることが困難になる。
【００３３】
そこで、この実施の形態１に係る画像処理装置としてのＭＦＰ１００は、モノクロ変換により得られた１次モノクロ画像データのモノクロ画像が、上記のような、隣接する複数の領域の境界を見分けることが困難な画像データであるか否かを判定する。
【００３４】
具体的には、制御部１０６によって、１次モノクロ画像データのモノクロ画像が隣接する複数の領域の境界を見分けることの困難なものであるか否かについて判定される。すなわち、制御部１０６は、カラー画像データの色差および濃度差に基づいて、隣接する領域どうしの分離を行い、１次モノクロ画像データにおける上記領域間の色差および濃度差を算出する。
【００３５】
記憶部１０７には上記領域間の色差および濃度差の閾値があらかじめ記憶されている。従って、制御部１０６は、算出された算出値と閾値とを比較することで、隣接する２つの領域の境界を識別することができるかどうかについて判定する。そして、算出値が閾値よりも小さい（２つの濃度が近い）場合には、制御部１０６は、隣接する２つの領域の境界を識別することができないと判定し、その結果を記憶部１０７に記憶する。算出値が閾値以上の場合には、隣接する２つの領域の境界を識別することができると判定し、その結果を記憶部１０７に記憶する。
【００３６】
ここにおける閾値は、グレー値変換部１０４によるグレー値変換が行われる前の上記１次モノクロ画像データのグレー値と、グレー値変換が行われた後の上記２次モノクロ画像データのクレー値との差に対応する。
【００３７】
図１において、操作・選択部１０５には、液晶ディスプレイ（ＬＣＤ）からなる表示部と、タッチパネルおよびスイッチなどからなる操作インターフェイス部とが含まれている。この操作・選択部１０５には、ユーザの要望に応じるための複数の選択肢が表示されるようになっている。記憶部１０７には、上記閾値を記憶するための部分（図示略）に加えて、上記のカラー画像データ、１次モノクロ画像データ、２次モノクロ画像データを記憶するための画像データ部分１０９が含まれている。
【００３８】
送信部１０８は、記憶部１０７の画像データ部分１０９に記憶された上記のカラー画像データ、１次モノクロ画像データ、２次モノクロ画像データを、このＭＦＰ１００の外部における通信装置であって、ＭＦＰ１００との間で通信可能に有線／無線接続されるパーソナルコンピュータ、プリンタ、タブレット、スマートフォンなどの外部通信装置へ送信するための部分である。
【００３９】
操作・選択部１０５は、ユーザが操作して上記選択肢のうちの１つを選択することで、画像取得部１０１による画像取得、出力部１０２による出力、モノクロ変換部１０３によるモノクロ変換、グレー値変換部１０４によるグレー値変換、記憶部１０７による記憶、送信部１０８による送信の各操作を実行させるための部分である。操作・選択部１０５はまた、記憶部１０７に記憶されたカラー画像データ、１次モノクロ画像データ、または２次モノクロ画像データを選択して送信部１０８による送信を実行させるための部分でもある。
【００４０】
上記のように構成されたＭＦＰ１００の画像処理手順を、図２に示すフローチャートを参照しながら、以下説明する。
【００４１】
ユーザがカラー原稿を画像取得部１０１としてのカラースキャナにより読み取ってモノクロコピーすることを意図するとき、ユーザは、ステップＳ１００において、操作・選択部１０５を操作して出力部１０２による出力としてのモノクロコピージョブを実行することを選択する。このとき、「同時にデータ送信するか否か」についての判断を行うことができる。
【００４２】
そして、ユーザが「ＹＥＳ」と判断して操作・選択部１０５を操作すると、４つの選択肢であるステップＳ１０１、ステップＳ１０２、ステップＳ１０３、およびステップＳ１０４の各内容が操作・選択部１０５に表示される。
【００４３】
一方、ステップＳ１００において、ユーザが「ＮＯ」と判断して操作・選択部１０５を操作すると、次のような処理が行われる。
【００４４】
画像取得部１０１が上記カラー原稿から取得したカラー画像データがモノクロ変換部１０３によってグレー値情報からなる１次モノクロ画像データに変換される。次いで、この１次モノクロ画像データのうち、異なる色でグレー値（グレー濃度）が同一であるかまたは近似している領域が、グレー値変換部１０４によって、異なるグレー値に置換されたモノクロデータ（２次モノクロ画像データ）に変換（グレー値変換）される。その後、その２次モノクロ画像データについて出力部１０２による出力としての２次モノクロコピージョブが実行される。そして、処理は終了する。
【００４５】
ステップＳ１０１において、ユーザがその内容である「カラー画像を送信するか否か」の表示を選択し、「ＹＥＳ」と判断して操作・選択部１０５を操作した場合には、上記グレー値変換が実行される。その後、グレー値変換により得られた２次モノクロ画像データについて出力部１０２による出力としての上記２次モノクロコピージョブが実行される。そして同時に、上記カラー画像データが、送信部１０８によって外部通信装置へ送信される。
【００４６】
一方、ステップＳ１０１において、ユーザが「カラー画像を送信するか否か」について「ＮＯ」と判断して操作・選択部１０５を操作した場合には、グレー値変換が実行され、次いで、出力部１０２による出力としての上記２次モノクロコピージョブが実行されて、その後の処理は終了する。
【００４７】
ステップＳ１０２において、ユーザがその内容である「コピーと同じグレー変換値で送信するか否か」の表示を選択し、「ＹＥＳ」と判断して操作・選択部１０５を操作した場合には、グレー値変換が実行される。次いで、出力部１０２による出力としての上記２次モノクロコピージョブが実行される。そして同時に、上記２次モノクロ画像データが送信部１０８によって外部通信装置へ送信される。
【００４８】
これに対して、ステップＳ１０２において、ユーザが「ＮＯ」と判断して操作・選択部１０５を操作した場合には、グレー値変換が実行され、次いで、出力部１０２による出力としての上記２次モノクロコピージョブが実行されて、その後の処理は終了する。
【００４９】
ステップＳ１０３において、ユーザがその内容である「コピーと異なるグレー変換値で送信するか否か」の表示を選択し、「ＹＥＳ」と判断して操作・選択部１０５を操作した場合には、以下のような処理が行われる。
【００５０】
すなわち、モノクロ変換部１０３によって変換された後の１次モノクロ画像データのうち、異なる色でグレー値（グレー濃度）が同一であるかまたは近似している領域を、グレー値変換部１０４が、異なるグレー値に置換するとともに外部通信装置の特性に応じて調整したモノクロデータ（調整２次モノクロ画像データ）に変換する。そして、出力部１０２による出力としての上記２次モノクロコピージョブが実行され、同時に、上記調整２次モノクロ画像データが送信部１０８によって外部通信装置へ送信される。
【００５１】
一方、ステップＳ１０３において、ユーザが「ＮＯ」と判断して操作・選択部１０５を操作した場合には、グレー値変換が実行され、次いで、出力部１０２による出力としての上記２次モノクロコピージョブが実行されて、その後の処理は終了する。
【００５２】
ステップＳ１０４において、ユーザがその内容である「グレー値変換しないモノクロ画像を送信するか否か」の表示を選択し、「ＹＥＳ」と判断して操作・選択部１０５を操作した場合には、グレー値変換が実行される。次いで、出力部１０２による出力としての上記２次モノクロコピージョブが実行される。そして同時に、グレー値変換しないモノクロ原稿のデータである上記１次モノクロ画像データが送信部１０８によって外部通信装置へ送信される。
【００５３】
一方、ステップＳ１０４において、ユーザが「ＮＯ」と判断して操作・選択部１０５を操作した場合には、グレー値変換が実行され、次いで、出力部１０２による出力としての上記２次モノクロコピージョブが実行されて、その後の処理は終了する。
【００５４】
実施の形態２
図３は、この発明の実施の形態２に係る画像処理装置の概略構成を示すブロック図である。図３において、２００は実施の形態２に係る画像処理装置としてのＰＣ（Ｐｅｒｓｏｎａｌ  Ｃｏｍｐｕｔｅｒ：パーソナルコンピュータ）である。
【００５５】
ＰＣ２００は、第１取得部２０１、出力部２０２、制御部（ＣＰＵ）２０３、記憶部２０４、送信部２０５、および第２取得部２０６を備えてなる。また、制御部２０３は、プリンタドライバ２０７、モノクロ変換プログラム２０８、およびグレー値変換プログラム２０９を備えてなる。
【００５６】
第１取得部２０１は、ＰＣ２００の外部に設けられた画像取得部としてのカラースキャナ２１０に接続されており、カラースキャナ２１０を介して、カラー画像からの反射光像をＲＧＢアナログ信号からなるカラー画像データとして取得する。第２取得部２０６は、ＰＣ２００に設けられたカラースキャナから構成され、カラー画像からカラー画像データを取得する。
【００５７】
出力部２０２は、ＰＣ２００の外部に設けられた出力部としてのモノクロプリンタ２１１に接続されており、プリンタドライバ２０７で駆動制御されるモノクロプリンタ２１１によって、実施の形態１において説明した１次モノクロ画像データまたは２次モノクロ画像データの印刷／コピーを行う。
【００５８】
制御部２０３は、第１取得部２０１、第２取得部２０６、出力部２０２、ＰＣ２００の外部に設けられた表示デバイスとしてのＬＣＤ２１２、ＰＣ２００の外部に設けられた入力デバイスとしてのキーボード２１３、記憶部２０４、送信部２０５に接続されており、これらの第１取得部２０１〜送信部２０５を制御する。
【００５９】
記憶部２０４には、実施の形態１において説明した閾値を記憶するための部分（図示略）に加えて、上記のカラー画像データ、１次モノクロ画像データ、２次モノクロ画像データを記憶するための画像データ部分２１４が含まれている。
【００６０】
送信部２０５は、記憶部２０４の画像データ部分２１４に記憶された上記のカラー画像データ、１次モノクロ画像データ、２次モノクロ画像データを、このＰＣ２００の外部における通信装置であって、ＰＣ２００との間で通信可能に有線／無線接続されるパーソナルコンピュータ、プリンタ、タブレット、スマートフォンなどの外部通信装置へ送信するためのものである。
【００６１】
上記のように構成されたＰＣ２００の画像処理手順は、実施の形態１において説明した処理手順と実質的に同一であるので、説明を省略する。
【００６２】
実施の形態３
図４は、この発明の実施の形態３に係る画像処理装置の処理手順を示すフローチャートである。実施の形態３に係る画像処理装置の構成は、実施の形態１に係る画像処理装置としてのＭＦＰ１００と実質的に同一である。
【００６３】
実施の形態３に係る画像処理装置としてのＭＦＰは、操作・選択部が実施の形態１に係るＭＦＰ１００の操作・選択部１０５の選択肢よりも多い選択肢を有している。すなわち、この操作・選択部は、外部通信装置の種類に応じて送信すべき画像データを選択することのできる選択肢を有している。
【００６４】
ここで、外部通信装置の種類は、ＭＦＰとの間で通信可能に有線／無線接続され、あらかじめ認証されたパーソナルコンピュータ（ＰＣ）、プリンタ、タブレット、またはスマートフォン（スマホ）である。
【００６５】
実施の形態３に係るＭＦＰの画像処理手順を、図４に示すフローチャートを参照しながら、以下説明する。
【００６６】
図４において、ユーザがカラー原稿を画像取得部としてのカラースキャナにより読み取ってモノクロコピーすることを意図するとき、ユーザは、ステップＳ３００において、出力部による出力としてのモノクロコピージョブを実行することを選択する。このとき、「同時にデータ送信するか否か」についての判断を行うことができる。
【００６７】
そして、ユーザが「ＹＥＳ」と判断すると、ステップＳ３０１へ進む。
【００６８】
一方、ユーザが「ＮＯ」と判断すると、画像取得部がカラー原稿から取得したカラー画像データがモノクロ変換部によってグレー値情報からなる１次モノクロ画像データに変換される。次いで、グレー値変換部によってグレー値変換が行われて２次モノクロ画像データに変換される。その後、その２次モノクロ画像データについて出力部による出力としての２次モノクロコピージョブが実行されて、その後の処理は終了する。
【００６９】
ステップＳ３０１において、ユーザは、「送信先のデバイスは何か」についての選択を行うことができる。
【００７０】
そして、ユーザがあらかじめ認証された「タブレット」を選択すると、グレー値変換が実行される。次いで、出力部による出力としての上記２次モノクロコピージョブが実行される。そして同時に、そのタブレットに応じたタブレット用設定が行われるとともにその設定で選択されたデータ形式（カラー、１次モノクロ、または２次モノクロ）の画像データがタブレットへ送信される。
【００７１】
同様に、ユーザがあらかじめ認証された「スマホ」、「ＰＣ」、「プリンタ」のいずれか１つを選択すると、グレー値変換が実行される。次いで、出力部による出力としての上記２次モノクロコピージョブが実行される。そして同時に、そのスマホ、ＰＣ、またはプリンタに応じた設定で選択された形式の画像データがスマホ、ＰＣ、またはプリンタへ送信される。
【００７２】
実施の形態４
図５は、この発明の実施の形態４に係る画像処理装置の処理手順を示すフローチャートである。実施の形態４に係る画像処理装置の構成は、実施の形態１に係る画像処理装置としてのＭＦＰ１００と実質的に同一である。
【００７３】
図５において、ユーザがカラー原稿を画像取得部としてのカラースキャナにより読み取ってモノクロコピーすることを意図するとき、ユーザは、ステップＳ４００において、出力部による出力としてのモノクロコピージョブを実行することを選択する。このとき、「同時にデータ送信するか否か」についての判断を行うことができる。
【００７４】
そして、ユーザが「ＹＥＳ」と判断すると、次の段階へ進む。
【００７５】
一方、ユーザが「ＮＯ」と判断すると、画像取得部がカラー原稿から取得したカラー画像データがモノクロ変換部によってグレー値情報からなる１次モノクロ画像データに変換される。次いで、グレー値変換部によってグレー値変換が行われて２次モノクロ画像データに変換される。その後、その２次モノクロ画像データについて出力部による出力としての２次モノクロコピージョブが実行されて、その後の処理は終了する。
【００７６】
ステップＳ４００においてユーザが「ＹＥＳ」と判断すると、「送信先アドレスを取得」することを要求される。この要求に応じて、ユーザがあらかじめ認証されたタブレット、スマホ、ＰＣ、またはプリンタの送信先アドレスを取得すると、グレー値変換が実行される。
【００７７】
次いで、その送信先アドレス応じた画像データ形式（カラー、１次モノクロ、または２次モノクロ）が取得される。そして、出力部による出力としての上記２次モノクロコピージョブが実行される。同時に、送信先アドレスに応じて取得された特定の画像データ形式で画像データがその送信先アドレスへ送信される。
【００７８】
この発明の好ましい態様には、上述した複数の態様のうちのいずれかを組み合わせたものも含まれる。
【００７９】
上述した実施の形態の他にも、この発明について種々の変形例があり得る。それらの変形例は、この発明の範囲に属さないと解されるべきではない。この発明には、特許請求の範囲と均等の意味での、また上記範囲内でのすべての変形が含まれるべきである。
【符号の説明】
【００８０】
１００：ＭＦＰ（画像処理装置）
１０１：画像取得部
１０２：出力部
１０３：モノクロ変換部
１０４：グレー値変換部
１０５：操作・選択部
１０６：制御部
１０７：記憶部
１０８：送信部
１０９：画像データ部分
２００：ＰＣ（画像処理装置）
２０１：第１取得部
２０２：出力部
２０３：制御部
２０４：記憶部
２０５：送信部
２０６：プリンタドライバ
２０７：第２取得部
２０８：モノクロ変換プログラム
２０９：グレー値変換プログラム
２１０：カラースキャナ（画像取得部）
２１１：モノクロプリンタ（出力部）
２１２：表示デバイス
２１３：入力デバイス
【図１】
2015185890.tif 000004
【図２】
2015185890.tif 000005
【図３】
2015185890.tif 000006
【図４】
2015185890.tif 000007
【図５】
2015185890.tif 000008